(57)【特許請求の範囲】
【請求項１】
ワイパーストリップを備えて自動車のガラス面を拭くワイパーブレードの包装容器であって、
内部にワイパーブレードを収納するための収納空間、及び前記収納空間を開放する開放部が形成されているケース本体と、
前記開放部を覆うために、第１連結部により、前記ケース本体の一側と回動可能に連結されているカバー部と、
第２連結部により、前記ケース本体の他側と回動可能に連結され、前記カバー部の一端を介在した状態で、前記ケース本体に結合されるロック部と、を含み、
前記ケース本体には、前記ロック部と隣接する面に複数の固定突起が形成され、前記ロック部には、前記固定突起が嵌合される嵌合孔が形成されており、
前記カバー部の一端には、前記固定突起が貫挿される複数の貫通孔が形成されていることを特徴とするワイパーブレードの包装容器。
【請求項２】
ワイパーストリップを備えて自動車のガラス面を拭くワイパーブレードの包装容器であって、
内部にワイパーブレードを収納するための収納空間、及び前記収納空間を開放する開放部が形成されているケース本体と、
前記開放部を覆うためのカバー部と、
それぞれの連結部により、前記ケース本体の長手方向の両側と回動可能に連結され、前記カバー部の一端を介在した状態で、前記ケース本体に結合されるそれぞれのロック部と、を含み、
前記ケース本体には、前記ロック部と隣接する面に複数の固定突起が形成され、前記ロック部には、前記固定突起が嵌合される嵌合孔が形成されており、
前記カバー部の一端には、前記固定突起が貫挿される複数の貫通孔が形成されていることを特徴とするワイパーブレードの包装容器。
【請求項３】
それぞれの連結部は、断面が環状であり、弾性変形されることを特徴とする請求項１または請求項２に記載のワイパーブレードの包装容器。
【請求項４】
前記ケース本体の収納空間に形成され、収納されるワイパーを固定するための突出部を含むことを特徴とする請求項１または請求項２に記載のワイパーブレードの包装容器。
【請求項５】
前記ケースの内部には、印刷物を挟持させるための複数のクリップがさらに形成されることを特徴とする請求項１または請求項２に記載のワイパーブレードの包装容器。
【請求項６】
前記ケース本体のワイパーブレードの収納空間のうち、前記ワイパーストリップが収納される空間は、前記ワイパーブレードが前記ケースに完全に収納された状態で、前記ワイパーストリップが、前記ケース本体の内面と接触しない大きさであることを特徴とする請求項１または請求項２に記載のワイパーブレードの包装容器。
【発明の詳細な説明】
【技術分野】
【０００１】
本発明は、自動車のガラス面を拭くためのワイパーブレードの包装容器（ＰＡＣＫＡＧＩＮＧ  ＣＡＳＥ  ＯＦ  ＷＩＰＥＲ  ＢＬＡＤＥ）に関し、さらに詳しくは、ワイパーブレードを収容して包装する基本的な機能だけではなく、運搬及び流通に際し、ワイパーブレードの外観を保護して製品の損傷を防止し、包装されたワイパーブレードの体積を最小化するワイパーブレードの包装容器に関する。
【背景技術】
【０００２】
一般に、自動車には、大気中の埃や気象状態などによってガラス面が汚れ、視野がぼやけることを防止するために、ガラス面を拭くためのワイパーブレードが設置される。前記ワイパーブレードは、ガラス面と密着し、所定角度に回動しながらガラス面を拭き、クリアな視界を確保して運転者の安全運転を支援する。
【０００３】
前述したワイパーブレードは、使用に応じて磨耗して行き、または、密着力や洗浄力が低下し、取替えが必要となる。このため、ワイパーブレードは別途の包装容器に包装され、販売されている。
【０００４】
図１は、従来の技術によるワイパーブレードの内部包装容器を示す斜視図であり、図２は、図１の内部包装容器が収納される外装ケースを示す斜視図である。
【０００５】
図１及び図２に示されているような従来のワイパーブレードの包装容器は、内部包装容器１０にワイパーブレードまたはワイパーストリップ１を収納して固定し、さらに内部包装容器１０を外装ケース２０に収納する方式であるため、ワイパーブレードまたはワイパーストリップ１を包装する作業が煩雑し、運搬及び流通に際し、衝撃などによって外装ケース２０から内部包装容器１０が脱落するような問題点があった。また、消費者が、包装されているワイパーブレードまたはワイパーストリップ１の状態を確認するためには、外装ケースを開けるしかなく、このような不便を解消するために、外装ケース２０に透視窓２２を設けているが、透視窓２２付きの外装ケース２０は、その製造コストが高いという問題点があった。
【０００６】
図３は、従来の技術によるワイパーブレードの他の包装容器を示す斜視図である。
【０００７】
図３に示されている従来の包装容器３０は、一体型のものであって、ワイパーブレード４０が収容される本体部３２と、前記本体部３２に連結され、前記本体部３２を覆うカバー部３４と、を含む。前記本体部３２の周面には、複数の突出部３３が形成され、前記カバー部３４には、前記突出部３３が嵌合される凹溝３５が形成される。
【０００８】
このように構成された従来の包装容器３０は、前記カバー部３４が前記本体部３２を覆った状態で、前記突出部３３が前記凹溝３５に締り嵌めされ、固定される。
【０００９】
ところが、従来の包装容器３０は、内部にワイパーブレード４０を支持し固定する手段を備えていないため、運搬及び流通に際し、内部に収納されているワイパーブレード４０が包装容器３０に当たり、摩擦によりワイパーブレード４０に傷が付いたり、塗装が剥がれたりするなどの問題点があった。また、ワイパーブレード４０が自動車のガラスの曲面に合わせた湾曲状に収納されるため、包装後の体積が大きくなり、運搬及び流通費が高くなる問題点があった。
【００１０】
それに、最近では、ワイパーブレードの性能向上に応じて、その形状が多様化しており、その形状によって適した内部形状を有する包装容器が求められている。
【発明の開示】
【発明が解決しようとする課題】
【００１１】
本発明は、上述した従来の技術の問題点を解決するために案出したものであって、運搬及び流通に際し、ワイパーブレードを外力から保護して、製品の破損及び損傷を防止し、包装されたワイパーブレードの体積を最小化し、包装が容易且つ堅固で、流通時、包装材が分離しにくいワイパーブレードの包装容器を提供することにその目的がある。
【課題を解決するための手段】
【００１２】
前記の目的を達成するための本発明によるワイパーブレードの包装容器は、ワイパーストリップを備えて自動車のガラス面を拭くワイパーブレードの包装容器であって、内部にワイパーブレードを収納するための収納空間、及び前記収納空間を開放する開放部が形成されているケース本体と、前記開放部を覆うために、第１連結部により、前記ケース本体の一側と回動可能に連結されているカバー部と、第２連結部により、前記ケース本体の他側と回動可能に連結され、前記カバー部の一端を介在した状態で、前記ケース本体に結合されるロック部と、を含む。
【００１３】
また、前記の目的を達成するための本発明の他の実施形態によるワイパーブレードの包装容器は、ワイパーストリップを備えて自動車のガラス面を拭くワイパーブレードの包装容器であって、内部にワイパーブレードを収納するための収納空間、及び前記収納空間を開放する開放部が形成されているケース本体と、前記開放部を覆うためのカバー部と、それぞれの連結部により、前記ケース本体の長手方向の両側と回動可能に連結され、前記カバー部の一端を介在した状態で、前記ケース本体に結合されるそれぞれのロック部と、を含む。また、前記ケース本体には、前記ロック部と隣接する面に複数の固定突起が形成され、前記ロック部には、前記固定突起が嵌合される嵌合孔が形成されても良い。また、前記カバー部には、前記固定突起が貫挿される複数の貫通孔が形成されても良い。また、前記連結部は、断面が環状であり、弾性変形されてもよい。また、前記ケース本体の収納空間に形成され、前記ケースに収納されるワイパーを固定するための突出部を含んでもよく、内部空間のうち、特にワイパーストリップが収納される空間部は、前記ワイパーブレードがケースに完全に収納された状態で、前記ケース本体の内面にワイパーストリップが接触しない大きさであることが望ましい。一方、前記ケース本体の内部には、印刷物を挟持させるための複数のクリップがさらに形成されてもよい。
【発明の効果】
【００１４】
上述したように、本発明によるワイパーブレードの包装容器は、ワイパーブレードが包装容器内で流動せずに支持・固定されるので、ワイパーブレードを外力から保護することができ、製品の破損及び損傷を防止することができる。また、前記ワイパーブレードを伸びた状態で包装するので、その体積を小さくすることができ、運搬及び流通にかかる物流費を節減することができる。なお、本発明によるワイパーブレードの包装容器は、前記カバー部をケース本体に容易かつ堅固に固定することができ、包装にかかる時間を低減することができる。
【発明を実施するための最良の形態】
【００１５】
以下、本発明の実施形態を添付した図面を参照して詳しく説明する。
【００１６】
図４は、本発明によるワイパーブレードの包装容器が開き、ワイパーブレードが収納される状態の斜視図であり、図５は、本発明によるワイパーブレードの包装容器に、ワイパーブレードが収納されている状態を示す斜視図である。
【００１７】
本発明によるワイパーブレードの包装容器６０は、図４と図５に示されているように、自動車のガラス面（ｗｉｎｄｏｗ）などに密着し、表面の異物を拭くためのワイパーブレード５０を包装するために使用される。
【００１８】
通常、ワイパーブレード５０は、自動車のガラス面に密着するワイパーストリップ５２と、前記ワイパーストリップ５２が装着可能に形成されたフレーム５４とを含み、前記フレーム５４には、自動車のワイパアームに装着するためのコネクタ５６が結合される。
【００１９】
一方、自動車のガラス面は、空気の抵抗を少なくするために、所定の曲率を有する形態に形成され、前記フレーム５４は、前記ワイパーストリップ５２が前記ガラス面に密着するよう弾性的に加圧する。これにより、ワイパーブレード５０は、所定の曲率を有する状態に保持される。
【００２０】
前記ワイパーブレード５０は、取り換え可能に製造され、専門用品ストアまたは大型スーパーマーケット、大型売場などで手軽に購入することができる。
【００２１】
このようなワイパーブレード５０は、製品の識別及び保護のために、別途の包装容器６０に収納され、販売される。前記包装容器６０は、内部に保管されるワイパーブレード５０が外力により損傷することを防止し、製品を最上の状態に保持する。また、前記包装容器６０は、ワイパーブレード５０を伸ばした状態に保持し、製品の体積を減少させる。
【００２２】
このようなワイパーブレードの包装容器６０は、内部にワイパーブレード５０を収納するための所定の収納空間７１が形成されているケース本体７０と、前記ケース本体７０に連結され、前記収納空間７１を覆うカバー部８０と、を含む。
【００２３】
前記ケース本体７０には、前記収納空間７１へ前記ワイパーブレード５０を出し入れするための開放部が形成され、前記開放部の周りには、水平に延長されたケースフランジ部７２が形成される。
【００２４】
また、前記カバー部８０は、前記ケース本体７０に収容されているワイパーブレード５０の一部を収容するための収容部８１が形成され、前記収容部８１の外周にカバーフランジ部８２が形成される。
【００２５】
前記ケース本体７０とカバー部８０とは、その間に形成されている第１連結部７６により相互回動可能に連結される。前記第１連結部７６は、断面が環状であり、所定の弾性を有する。
【００２６】
また、前記ケース本体７０の他側には、前記カバー部８０が前記ケース本体７０の開放部を覆った状態で、前記カバー部８０を拘束するためのロック部９０が形成される。前記ロック部９０は、前記ケース本体７０の他側と、第２連結部７８とにより回動可能に連結される。前記第２連結部７８は、断面が環状であり、所定の弾性を有する。
【００２７】
前記ロック部９０は、前記カバー部８０が前記開放部を覆った状態で、前記カバーフランジ部８２の一部が、前記ケースフランジ部７２とロック部９０との間に介在されるよう、前記ケースフランジ部７２に締結される。
【００２８】
望ましくは、前記ケースフランジ部７２には、前記ロック部９０と隣接して凸状に突出した固定突起７５が形成され、前記ロック部９０には、前記固定突起７５が嵌合される嵌合孔９５が形成される。
【００２９】
さらに望ましくは、前記カバー部８０のカバーフランジ部８２には、前記固定突起７５に対応する貫通孔８５が形成され、前記貫通孔８５が前記固定突起７５に嵌合された状態で、前記固定突起７５が前記嵌合孔９５に嵌合されて、前記カバー部８０を拘束する。
【００３０】
以上では、前記ケース本体７０とカバー部８０とが、前記第１連結部７６により一体に相互回動可能に連結されている実施形態について説明したが、一方で、前記ケース本体７０と前記カバー部８０とを分離し、第１連結部７６の代りに、第２連結部７８と同様な構成にすることも可能である。
【００３１】
加えて、本発明によるワイパーブレードの包装容器６０は、内部に収納されるワイパーブレード５０を固定するために、内部空間の両側面に、突出部７４が形成されても良い。
【００３２】
この時、前記突出部７４は、所定の弾性を有するよう形成され、ワイパーブレード５０の包装時、ワイパーフレーム５４が前記突出部７４に挟まれ、伸びた状態に保持される。前記突出部７４は、連続して形成する必要はなく、ワイパーブレード５０のコネクタ５６に干渉しないよう分割形成する。また、前記突出部７４は、対称に形成する必要はなく、前記ワイパーフレーム５４が伸びた状態を保持するよう支持することで充分である。加えて、前記突出部７４は、内部空間の両側面に相互交差して形成しても良く、これにより、前記ワイパーブレード５０をより容易に入れ出しすることができる。
【００３３】
そして、前記ワイパーストリップ５２が収納される空間、即ち、前記ワイパーブレード５０が収納されるケース本体７０の収納空間７１の下部は、ワイパーブレード５０がケースに完全に収納された状態で、前記ワイパーストリップ５２がケース内面に接触しない大きさにすることが望ましい。
【００３４】
また、前記ケース本体７０の内部には、製品の広告チラシまたは取扱い説明書などの印刷物を挟持させるための、複数のクリップ８８をさらに形成しても良い。前記クリップ８８は、所定の弾性を有するよう形成され、前記クリップ８８に印刷物を挟持させることができる。望ましくは、前記クリップ８８は、前記カバー部８０の一側に形成され、これにより、外部から印刷物をより容易に認識することができる。
【００３５】
また、前述したワイパーブレードの包装容器６０は、合成樹脂からなっても良く、内部が見られるように、一部または全体が透明な素材で形成されても良い。また、他の製品との識別をより容易にし、製品の特性区別及び外観を一層引き立たせるために、様々なカラーで形成しても良い。
【００３６】
また、前記包装容器６０の一側には、保管または販売に際し、掛け型の陳列棚に掛けて保管するための陳列部６２を形成しても良い。前記陳列部６２は、リング状、または板状の掛けを有する何れの陳列棚にも掛けられるよう円形孔６３と直線溝６４とを組み合わせた形状に形成される。前記円形孔６３は、前記直線溝６４の中央部に形成される。このように形成されたワイパーブレードの包装容器６０は、製品の販売／保管のための陳列に際し、前記陳列部６２を陳列棚の掛け部材に掛け、立てられた状態に陳列することができる。
【００３７】
図６〜図８は、本発明によるワイパーブレードの包装容器に、ワイパーブレードを収納する状態の端面図である。
【００３８】
本発明によるワイパーブレードの包装容器にワイパーブレードを収納する過程を、図６〜図８に基づいて説明する。
【００３９】
まず、ケース本体７０の収納空間７１に、ワイパーブレード５０を入れる。この時、前記ワイパーブレード５０のフレーム５４を、前記ケース本体７０の突出部７４の下側に挟むと、前記ワイパーブレード５０は曲折せずに延びた状態を保持し、ワイパーストリップ５２は、ケースの内面と接触しない状態になる。
【００４０】
次に、前記ケース本体７０の一側に連結されているカバー部８０を回転させ、前記ケース本体７０の開放部を覆う。この時、前記カバー部８０のカバーフランジ部８２に形成されている貫通孔８５が、ケースフランジ部７２に形成されている固定突起７５に貫通されるようにする。
【００４１】
そして、前記ケース本体７０の他側に連結されているロック部９０を回転させ、前記カバー部８０のカバーフランジ部８２が介在された状態で、前記ロック部９０の嵌合孔９５を前記ケース本体７０の固定突起７５に嵌合する。
【００４２】
一方、前記ワイパーブレードの包装容器６０は、前記カバー部８０が前記ケース本体７０に結合される前に、クリップ８８に製品の広告チラシまたは取扱い説明書などの印刷物を挟持させることができる。
【００４３】
前述したように、本発明によるワイパーブレードの包装容器を好ましい実施形態及び図面を参照して説明したが、本発明はこれらに限定されるものではなく、特許請求の範囲に記載された本発明の思想および領域から逸脱しない範囲内で、本発明の属する技術分野における通常の知識を有する者により種々なる修正および変更が可能である。
【図面の簡単な説明】
【００４４】
【図１】従来の技術によるワイパーブレードの内部包装容器を示す斜視図である。
【図２】図１の内部包装容器が収納される外装ケースを示す斜視図である。
【図３】従来の技術によるワイパーブレードの他の包装容器を示す斜視図である。
【図４】本発明によるワイパーブレードの包装容器が開き、ワイパーブレードが収納される状態の斜視図である。
【図５】本発明によるワイパーブレードの包装容器にワイパーブレードが収納された状態を示す斜視図である。
【図６】本発明によるワイパーブレードの包装容器にワイパーブレードを収納する状態の端面図である。
【図７】本発明によるワイパーブレードの包装容器にワイパーブレードを収納する状態の端面図である。
【図８】本発明によるワイパーブレードの包装容器にワイパーブレードを収納する状態の端面図である。
【符号の説明】
【００４５】
５０  ワイパーブレード
５２  ワイパーストリップ
５４  フレーム
５６  コネクタ
６０  包装容器
６２  陳列部
６３  円形孔  
６４  直線溝
７０  ケース本体
７１  収納空間
７２  ケースフランジ部
７４  突出部
７５  固定突起
７６  第１連結部
７８  第２連結部
８０  カバー部
８１  収容部
８２  カバーフランジ部
８６  貫通孔
８８  クリップ
９０  ロック部
９５  嵌合孔
【図１】
0004795296.tif 000002
【図２】
0004795296.tif 000003
【図３】
0004795296.tif 000004
【図４】
0004795296.tif 000005
【図５】
0004795296.tif 000006
【図６】
0004795296.tif 000007
【図７】
0004795296.tif 000008
【図８】
0004795296.tif 000009